(57)【特許請求の範囲】
【請求項１】
開き戸（Ｂ）と、支持面（Ｄ）に固定されており該開き戸を回動自在に支持してなる支持体（Ｃ）と、を有してなる開き戸装置において、
上記開き戸（Ｂ）は、上記支持体（Ｃ）に連結された開き戸本体（１）と、該開き戸本体にヒンジ連結手段（Ｅ、４）を介して連結された折り曲げ体（１ａ）とからなり、
上記折り曲げ体（１ａ）は、上記ヒンジ連結手段（Ｅ、４）を中心に開き戸本体（１）の側面に重なるように折り畳み可能となされており、
上記折り曲げ体（１ａ）は、上記開き戸本体（１）の先端側において連結されており、上記折り曲げ体（１ａ）と上記開き戸本体（１）とは、それぞれ枠体（１１、１１ａ）を具備してなり、
上記折り曲げ体（１ａ）と上記開き戸本体（１）との連結部分における両者の枠体（１１、１１ａ）には、それぞれ、孔が連続するように形成された貫通孔（２、２ａ）が設けられて、該貫通孔に緩く係合し且つ隣接する両枠体間を挿通する長さのピン（５１）を有する固定具（５）を装着可能になされ、
上記固定具（５）は、コ字形状で、２本の上記ピン（５１）と、各ピンを連結する連結片（５２）とからなることを特徴とする開き戸装置。
【請求項２】
上記折り曲げ体（１ａ）を折畳んだ際に、上記開き戸本体（１）及び上記折り曲げ体をまとめて挟持する止め具（６）を有することを特徴とする請求項１記載の開き戸装置。
【請求項３】
上記ヒンジ連結手段（Ｅ）は蝶番（４）であることを特徴とする請求項１又は２に記載の開き戸装置。
【発明の詳細な説明】
【０００１】
【産業上の利用分野】
本発明は学校又は工場等の門等で使用される開き戸装置に関し、さらに詳しくは、コンパクトに収納可能な開き戸装置に関する。
【０００２】
【従来の技術】
従来、開き戸は、開き戸の長さを半径とする扇形状に該開き戸を開閉して使用している。このため、開き戸の開放時において、開き戸を開けた状態としておくには、該開き戸の長さ分に相当するスペースが必要となり、開き戸の設置には広い設置面積を要するという問題を引き起こしている。
【０００３】
【発明が解決しようとする課題】
従って、本発明の目的は、開き戸の開閉に要する面積が少なくて済み、開き戸をコンパクトに収納でき、設置面積を少なくできる開き戸を提供することにある。
【０００４】
【課題を解決するための手段】
本発明は、開き戸（Ｂ）と、支持面（Ｄ）に固定されており該開き戸を回動自在に支持してなる支持体（Ｃ）と、を有してなる開き戸装置において、上記開き戸（Ｂ）は、上記支持体（Ｃ）に連結された開き戸本体（１）と、該開き戸本体にヒンジ連結手段（Ｅ、４）を介して連結された折り曲げ体（１ａ）とからなり、上記折り曲げ体（１ａ）は、上記ヒンジ連結手段（Ｅ、４）を中心に開き戸本体（１）の側面に重なるように折り畳み可能となされており、上記折り曲げ体（１ａ）は、上記開き戸本体（１）の先端側において連結されており、上記折り曲げ体（１ａ）と上記開き戸本体（１）とは、それぞれ枠体（１１、１１ａ）を具備してなり、上記折り曲げ体（１ａ）と上記開き戸本体（１）との連結部分における両者の枠体（１１、１１ａ）には、それぞれ、孔が連続するように形成された貫通孔（２、２ａ）が設けられて、該貫通孔に緩く係合し且つ隣接する両枠体間を挿通する長さのピン（５１）を有する固定具（５）を装着可能になされ、上記固定具（５）は、コ字形状で、２本の上記ピン（５１）と、各ピンを連結する連結片（５２）とからなることを特徴とする開き戸装置を提供することにより上記目的を達成したものである。
【０００５】
【発明の実施の形態】
図１は、本発明の開き戸装置の１実施形態を示す正面図である。図２は、図１に示す開き戸装置における開き戸本体と折り曲げ体との連結部分を示す部分拡大図である。図３は、図１に示す開き戸装置における折り曲げ体を折り畳む途中の状態を示す斜視図である。図４は、図１に示す開き戸装置における折り曲げ体を完全に折り畳み、止め具により固定した状態を示す拡大上面図である。図５は、図１に示す開き戸装置における開き戸本体の回動行程を示す平面図である。
【０００６】
本実施形態の開き戸装置Ａは、図１〜３に示すように、門扉として使用されるものであって、開き戸Ｂと、支持面Ｄに固定されており該開き戸Ａを回動自在に支持してなる支持体Ｃとを有してなる。
【０００７】
そして、本実施形態の開き戸装置Ａにおいて、上記開き戸Ｂは、図１〜３に示すように、上記支持体Ｃに連結された開き戸本体１と、該開き戸本体１にヒンジ連結手段Ｅを介して連結された折り曲げ体１ａとからなり、上記折り曲げ体１ａは、上記ヒンジ連結手段Ｅを中心に開き戸本体１の側面に重なるように折り畳み可能となされている。
【０００８】
更に詳述すると、上記ヒンジ連結手段Ｅは、図２に示すように、本実施形態においては蝶番４である。該蝶番４としては、従来公知のものを特に制限なく用いることができる。
【０００９】
また、上記折り曲げ体１ａは、図２に示すように、上記開き戸本体１の先端側において連結されており、上記開き戸本体１と上記折り曲げ体１ａとは、それぞれ枠体１１、１１ａを具備してなる。また、上記開き戸本体１と上記折り曲げ体１ａとは、それぞれ枠体１１、１１ａと、各枠体１１，１１ａの内方に所定間隔を開けて配された縦格子１２，１２ａとからなる。
【００１０】
上記開き戸本体１と上記折り曲げ体１ａとの連結部分における両者の枠体１１，１１ａには、それぞれ、孔が連続して直線状となるように形成された貫通孔２，２ａが設けられて、該貫通孔２，２ａに緩く係合し且つ隣接する両枠体間を挿通する長さのピン５１を有する固定具５を装着可能になされている。即ち、上記固定具５は、コ字形状で、２本の上記ピン５１と、各ピン５１を連結する連結片５２とからなる。また、該固定具５は、開き戸Ｂの上部と下部とに２つ設けられている。
【００１１】
また、図４に示すように、本実施形態の開き戸装置Ａは、上記折り曲げ体１ａを折畳んだ際に、上記開き戸本体１及び上記折り曲げ体１ａをまとめて挟持する止め具６を有する。止め具６は、開き戸Ｂの上方において、各開き戸本体１及び折り曲げ体１ａをまとめて挟持できるように、Ｅ字状に２つの凹部を具備した形状とされている。
【００１２】
そして、本実施形態の開き戸装置Ａは、下記の如くして使用される。
【００１３】
即ち、図２に示すように、門扉の閉鎖時には、開き戸本体１と折り曲げ体１ａとは、蝶番４により連結されており不安定であるため、固定具５により開き戸本体１と折り曲げ体１ａとを固定させる。固定具５は、貫通孔２，２ａの両方に、ピン５１が挿通されるように装着して使用される。
【００１４】
そして、門扉の解放時においては、固定具５を図３に示すように、少なくとも貫通孔２ａからは抜く。次に、図５において矢印Ｘで示す方向に、折り曲げ体１ａを蝶番４を中心にして回動させて、開き戸本体１に重ねる。すなわち、枠体１１ａを枠体１１に重ねる。さらに、図５において矢印Ｙで示す方向に、折り曲げ体１ａが折り重ねられた状態で開き戸本体１を支持体Ｃを中心として回動させることにより、門扉を開放状態とできる。ここで、折り曲げ体１ａは、蝶番４を中心として回動可能でぶらぶらと不安定な状態であるので、止め具６により固定する。
【００１５】
本実施形態の開き戸装置Ａは、上述の如く構成され、このように使用することができるので、コンパクトに収納した状態で開き戸の開閉を行うことができ、設置場所が少ない面積で済むものである。また、固定具５を有する場合には、開き戸本体１と折り曲げ体１ａとが直線状に連結された状態でしっかりと固定して、スムーズに門扉の閉鎖を行うことができ、止め具６を有する場合には、折り畳んだ状態でしっかりと固定してスムーズに門扉の開閉を行うことができると共に、この状態を固定して、門扉の開放を行うことができるため、固定具５や止め具６を有する場合には、操作性や安全性にも優れる。
【００１６】
尚、本発明の開き戸装置は、上述の実施形態に制限されるものではなく、本発明の趣旨を逸脱しない範囲で種々変更可能である。
【００１７】
例えば、固定具５は、上下２箇所に設けるようにしているが、開き戸の大きさ、重量により、１個又は３個以上とするようにしても良い。
【００１８】
また、止め具６の形状は、コ字状等としても良い。
【００１９】
さらに、開き戸Ｂの長さ寸法が長い場合、開き戸Ｂの一端又は両端の枠体１，１ａの下部に支持ローラーを１個又は複数個取り付け、開き戸Ｂの重量を支持させるようにしてもよい。
【００２０】
また、開き戸装置の構成は特に制限されず、観音開き様に１対の開き戸から構成される場合、１つの開き戸から構成される場合の他、引き戸装置などの他の扉装置と組み合わせてもよい。
【００２１】
さらに、上述の実施形態においては、折り曲げ体が１つのものを例示して説明したが、上述の形態における折り曲げ体の先端側にさらにもう１つの折り曲げ体を、同様の構造で設ける等、折り曲げ体を２つ以上連結した構成とすることができる。
【００２２】
【発明の効果】
上述したように、本発明の開き戸装置は、開き戸の開閉に要する面積が少なくて済み、開き戸をコンパクトに収納でき、設置面積が少なくてよいものである。
【図面の簡単な説明】
【図１】図１は、本発明の開き戸装置の１実施形態を示す正面図である。
【図２】図２は、図１に示す開き戸装置における開き戸本体と折り曲げ体との連結部分を示す部分拡大図である。
【図３】図３は、図１に示す開き戸装置における折り曲げ体を折り畳む途中の状態を示す斜視図である。
【図４】図４は、図１に示す開き戸装置における折り曲げ体を完全に折り畳み、止め具により固定した状態を示す拡大上面図である。
【図５】図５は、図１に示す開き戸装置における開き戸本体の回動行程を示す平面図である。
【符号の説明】
Ａ            開き戸装置
Ｂ            開き戸
Ｃ            支持体
Ｄ            支持面
Ｅ            ヒンジ連結手段
１            開き戸本体
１ａ          折り曲げ体
１１，１１ａ  枠体
２，２ａ      貫通孔
４            蝶番
５            固定具
５１          ピン
５２          連結片
６            止め具
【図１】
0004031577.tif 000002
【図２】
0004031577.tif 000003
【図３】
0004031577.tif 000004
【図４】
0004031577.tif 000005
【図５】
0004031577.tif 000006